(57)【特許請求の範囲】
【請求項１】
上枠、左右の側枠、および下枠を備えた外枠によって遊技盤を取り付けた本体枠を前記外枠の内外に開閉旋回可能に支持する遊技機の外枠構造において、前記外枠の少なくとも下側左右コーナ部に沿って、前記下枠と前記左右の側枠を連結する下壁と立壁からなるＬ字形部分を有する全体が略コ字形に成形された金属製の連結部材を配設し、前記下側左右コーナ部の一方に位置する前記連結部材には、前記立壁の上端から水平に延びて前記略コ字形を形成する上壁に軸支部材を立設して、当該軸支部材を介して前記上壁に前記本体枠のヒンジ端側の荷重を支持させるとともに、前記下側左右コーナ部の他方に位置する前記連結部材には、前記立壁の上端から水平に延びて前記略コ字形を形成する上壁を形成して、前記本体枠の閉鎖時に当該本体枠の自由端側を他方の連結部材の上壁上に位置させて当該上壁に前記自由端側の荷重を支持させ、前記両連結部材を、コ字形の開放側を対向させて配置して、これら連結部材に囲まれた収納空間内に幕板を着脱可能に取り付けていることを特徴とする遊技機の外枠構造。
【発明の詳細な説明】
【技術分野】
【０００１】
本発明は遊技機の外枠構造に関し、特に外枠の下部に設ける幕板の設置構造の改良に関する。  
【背景技術】
【０００２】
図１０には遊技機の一例としてパチンコ遊技機を示す。パチンコ遊技機は矩形の外枠１と、内外方へ旋回可能に外枠１内に設置された本体枠６を備えており、本体枠６には遊技盤７１と、球皿７２，７３を設けた前板７４，７５が取り付けられている。外枠１は、上枠１４、左右の側枠１１，１２、および下枠１３を備えており、一定高さの幕板（腰板）７６が下枠１３に固定されて、あるいは特許文献１に示されるように、下枠が上記幕板で兼ねられて、外枠１下部の剛性が確保されるとともに球皿７３下方に球箱設置空間が確保されている。なお、幕板７６には通常、本体枠を旋回可能に支持するピン体が設けられている（特許文献１参照）。
【特許文献１】特開２００５−７４１２１
【発明の開示】
【発明が解決しようとする課題】
【０００３】
しかし、上記特許文献１に示された従来の構造では、幕板が外枠の下枠と一体化して当該外枠の強度を確保しているとともに幕板で本体枠の荷重を支持する構造となっているため、幕板を外枠から取り外すことは困難である。一方、近年においては、幕板を樹脂製にして、その内部にスピーカ等の電気部品を設置することが行われており、部品交換等のために幕板を外枠から容易に取り外したいという要請がある。また、遊技機を新たに設置する際に島設備への外枠固定のための釘打ちスペースが幕板の存在によって十分確保できないため、この点からも外枠からの幕板の容易な取り外しが要請されている。
【０００４】
そこで、本発明はこのような要請に鑑みたもので、本体枠が外枠に支持された状態でも幕板を容易に外枠に対して脱着できる遊技機の外枠構造を提供することを目的とする。
【課題を解決するための手段】
【０００５】
上記目的を達成するために、本発明では、上枠（１４）、左右の側枠（１１，１２）、および下枠（１３）を備えた外枠（１）によって遊技盤（７１）を取り付けた本体枠（６）を外枠（１）の内外に開閉旋回可能に支持する遊技機の外枠構造において、外枠（１）の少なくとも下側左右コーナ部に沿って、下枠（１３）と左右の側枠（１１，１２）を連結する下壁（２１，３１）と立壁（２２，３２）からなるＬ字形部分を有する全体が略コ字形に成形された金属製の連結部材（２，３）を配設し、下側左右コーナ部の一方に位置する連結部材（２）には、立壁（２２）の上端から水平に延びて略コ字形を形成する上壁（２３）に軸支部材（２４）を立設して、当該軸支部材（２４）を介して上壁（２３）に本体枠（６）のヒンジ端（６１）側の荷重を支持させるとともに、下側左右コーナ部の他方に位置する連結部材（３）には、立壁（３２）の上端から水平に延びて略コ字形を形成する上壁（３３）を形成して、本体枠（６）の閉鎖時に当該本体枠（６）の自由端（６２）側を他方の連結部材（３）の上壁（３３）上に位置させて当該上壁（３３）に自由端側の荷重を支持させ、両連結部材（２，３）を、コ字形の開放側を対向させて配置して、これら連結部材（２，３）に囲まれた収納空間（Ｓ）内に幕板（５）を着脱可能に取り付ける。ここで、連結部材は左右コーナ部にそれぞれ別体に設けても良いし、左右コーナ部の連結部材を一体物で実現しても良い。
【０００６】
本発明においては、幕板には本体枠の荷重が印加しておらず、しかも外枠下部は連結部材の存在によってその強度が十分に保たれているから、幕板を外枠に着脱可能に取り付けて必要時に取り外しても問題はない。これにより、幕板を外した状態で外枠を島設備に容易に釘打ち固定することができるから、電気部品等を内蔵し後方へ大きく突出する幕板を使用しても釘打ちの容易さが損なわることがない。また、幕板内の電気部品等の交換を、幕板を取り外して容易に行うことができる。幕板の構造を、装飾性や電気部品等の収容空間の確保を優先した設計とすることができる。
【０００８】
なお、上記カッコ内の符号は、後述する実施形態に記載の具体的手段との対応関係を示すものである。
【発明の効果】
【０００９】
以上のように、本発明の遊技機の外枠構造によれば、幕板を容易に外枠に対して着脱できるから、幕板内部に設置した電気部品の部品交換等を行う場合には幕板を一時的に外枠から取り外して容易に行うことができる。また、遊技機を新たに設置する際にも、幕板を一時的に外枠から取り外すことにより、島設備への外枠固定のための釘打ちスペースを十分確保することができる。
【発明を実施するための最良の形態】
【００１０】
図１には遊技機の一例としてのパチンコ遊技機の枠構造を示す。パチンコ遊技機は矩形の外枠１を備えており、外枠１は、上枠１４、左右の側枠１１，１２、および下枠１３より構成されている。外枠１内に内外方へ旋回可能に、遊技盤等を取り付ける本体枠６が設置される。すなわち、本体枠６はその一側辺（ヒンジ端）６１の上端が外枠１の上辺左コーナ部に設けたブラケット１４１に公知の構造で旋回可能に支持されるとともに、ヒンジ端６１の下端は、外枠１の下辺左コーナ部に設けられた詳細を後述する連結部材２上の軸支部材２４に旋回可能に支持される。本体枠６を外枠１内に回動させ閉鎖した状態で、本体枠６の他側辺（自由端）６２に設けた楔状のロック片６３が、外枠１の側枠１２に突設した平板状係止片１２１に係合してロックされる。外枠１の下辺右コーナ部には詳細を後述する連結部材３が設けられており、外枠１の下枠１３上の、左右の連結部材２，３に囲まれた横長矩形の収納空間Ｓ内に、後述するように幕板５が収納される。
【００１１】
図２には上記外枠１下部の正面図を示し、図３にはその斜視図を示す。上記各図において、外枠１の左右の側枠１１，１２は本実施形態ではアルミ材の押出し成形品で構成されている。左右の側枠１１，１２の下方には木製の下枠１３が配設されており、下枠１３の両端は連結部材２，３によってそれぞれ側枠１１，１２の下端に固定されている。
【００１２】
連結部材２は金属板を略コ字形に屈曲成形したもので、その水平な下壁２１が下枠１３の端部上面に、立壁２２が側枠１１の下端内面に、それぞれ枠外から捩じ込んだネジ部材４１によって固定されている。これにより、外枠１の下辺左コーナ部は、これに沿うように下壁２１と立壁２２がＬ字形をなした上記連結部材２によって連結されて十分な強度が付与される。Ｌ字形の上端から水平に延びる連結部材２の上壁２３には壁面の二箇所に取付孔２３１（図３）が形成されるとともに、前方へ延出する上壁２３の延出部２３２には上方へ向けてピン状の軸支部材２４が立設されている。
【００１３】
一方、連結部材３も金属板を略コ字形に屈曲成形したもので、その水平な下壁３１が下枠１３の端部上面に、立壁３２が側枠１２の下端内面に、それぞれ枠外から捩じ込んだネジ部材４２によって固定されている。これにより、外枠１の下辺右コーナ部は、これに沿うように下壁３１と立壁３２がＬ字形をなした上記連結部材３によって連結されて十分な強度が付与されている。Ｌ字形の上端から水平に延びる連結部材３の上壁３３には壁面の二箇所に取付孔３３１（図３）が形成されるとともに、上壁３３の前縁は斜め前下方へ延びてガイド壁３４となっている。
【００１４】
このような連結部材２，３はコ字形の開放側を互いに対向させて左右に位置しており、左右の連結部材２，３に囲まれた横長矩形の収納空間Ｓが形成されている。そして、当該空間Ｓ内に幕板５が収納される。これを図４、図５に示し、図４は前方から見た斜視図、図５は後方から見た斜視図である。幕板５は中空部を形成した横長矩形体で、樹脂材の一体成形品である。このような幕板５は前方から収納空間Ｓ（図２、図３）内へ押し込まれる。押し込まれた状態で、幕板５の前縁下面に形成された段付き突出部５１（図６）が下枠１３の前面に当接するとともに、幕板５の後縁中央に突出形成されたフック状係止片５２が下枠１３の長手方向中央に形成された凹所１３１に係合して（図５）幕板５が仮固定される。仮固定された幕板５は、その後面下縁左右位置に形成された取付片５３（図５）の取付孔内に挿入されたネジ部材４３によって下枠１３に固定されるとともに、連結部材上壁２３，３３の取付孔２３１，３３１（図３）内に挿入されたネジ部材４４（図５）によって上記上壁２３，３３に固定される。このネジ止め作業は、幕板５が仮固定されているため遊技機を新たに複数台設置するときにも一台ずつ位置合わせをせずにスムーズに行うことができる。この状態で下枠１３は幕板５の段付き突出部５１によってその前部が覆われて露出しないから装飾性が向上する。
【００１５】
遊技盤等を取り付けた本体枠６はその一側辺（ヒンジ端）６１（図１）の上端が公知の構造で外枠１に旋回可能に支持されるとともに、一側辺６１の下端は上記連結部材２上の軸支部材２４によって旋回可能に支持される。本体枠６の他側辺（自由端）６２（図１、図７）は、本体枠６を外枠１に対して開放したとき、自重でやや下がることがあるが、外枠１内に進入する閉鎖過程で連結部材３のガイド壁３４に当接してその斜面によって所定の閉鎖位置（図７に示す状態）へ押し上げられる。本体枠６を外枠１内へ進入させた閉鎖状態で、本体枠６の荷重は左右の連結部材２，３の上壁２３，３３から立壁２２，３２と下壁２１，３１を経て下枠１３へ伝達され、ここで受けられる。このような構造により、本体枠６の荷重が幕板５に印加することが避けられる。この場合、本体枠６の荷重を下枠１３で受けられるので、本体枠５の荷重を側枠１１，１２に水平に突設した支持部材で受ける構造に比して、支持部材を固定するネジ部にせん断力が生じるといった問題はない。
【００１６】
このように、閉鎖時においても本体枠６の荷重が幕板５に印加しないから、前述したように幕板５の構造を、装飾性や電気部品等の収容空間の確保を優先させた中空部を有する構造にすることができる。そこで、本実施形態では、幕板５内に図８に示すように長手方向へ延びる共鳴空間５４を形成し、その一端部に臨むようにスピーカ５５を設けるとともに、共鳴空間５４の他端部には一端がこれに開口し、他端が幕板５の前面に開口する出力筒５６を設けて、スピーカ５５の音を遊技機前方へ増幅出力させている。
【００１７】
幕板５の連結部材３に近い端部上面にはストライカ部５７（図４）が突出形成されている。ストライカ部５７は、山形の枠体内に、切欠きで区画された湾曲変形可能な当接片５７１を形成したもので、本体枠６を外枠１内に進入させて閉鎖すると、本体枠６に設けたリミットスイッチ６２（図９）の接触片６２１が当接片５７１に当たるようになっている。したがって、接触片６２１と当接片５７１の当たりが解消することで本体枠６の開放を検出する信号をリミットスイッチ６２から得ることができる。なお、ストライカ部５７を本体枠６に、リミットスイッチ６２を外枠１に設けても良い。また、本体枠６の開放検出は以上の構造に限られるものではない。
【００１８】
幕板５のヒンジ端側の連結部材２に近い端部上面には上方開放の凹所５８１（図５）内に配線端子５８が設けてある。この配線端子５８には上記スピーカ５５や他の電気部品からの配線が集合させてあり、凹所５８１が上方へ開放していることともあい俟って、島設置後における前方側からの配線接続を覗き込まなくても容易に行うことができる。特に、本実施形態のように、本体枠６のヒンジ端側に近い位置に配線端子５８を設けると、本体枠６を開閉した時にこれと配線端子５８との間の配線が大きく移動しないから好適である。
【００１９】
以上に説明した構造において、幕板５には本体枠６の荷重が印加しておらず、しかも外枠１下部は連結部材２，３の存在によってその強度が十分に確保されているから、本体枠６が外枠１に支持されている状態でも、ネジ部材４３，４４を取り去ることで幕板５を外枠１内から一時的に外すことができる。これにより、幕板５を外した状態で外枠１を島設備に容易に釘打ち固定することができるとともに、取り外した幕板５内の電気部品の交換等を容易に行うことができる。
【００２０】
上記実施形態において、幕板５の固定方法はネジ止めに限らず、市販の係止部材や樹脂弾性を利用した係合等の構造が適宜使用できる。また、下枠１３の上面に、幕板５が設置される領域が明確になるような表示を施せば、下枠１３を島設備に固定する際の釘打ち可能領域を速やかに確認することができる。さらに、幕板５の一端を軸支して、幕板５を収納空間Ｓの内外へ旋回出退させるような構造としても良い。また、外枠１には木材や、アルミ等の金属材、樹脂材等が適宜使用できる。上記実施形態では連結部材２，３を左右で分離したが、これらを一体物で成形しても良い。
【図面の簡単な説明】
【００２１】
【図１】本発明の一実施形態を示す、パチンコ遊技機の枠構造の斜視図である。
【図２】パチンコ遊技機の外枠下部の正面図である。
【図３】パチンコ遊技機の外枠下部の斜視図である。
【図４】外枠内に幕板を収納した状態を正面から見た斜視図である。
【図５】外枠内に幕板を収納した状態を裏面から見た斜視図である。
【図６】図４のVI−VI線に沿った断面図である。
【図７】外枠内に幕板や本体枠を設置した状態における連結部材（自由端側）周辺の垂直断面図である。
【図８】収納状態の幕板の平面図である。
【図９】図４のIX−IX線に沿った断面図である。
【図１０】従来の外枠構造を備えたパチンコ遊技機の正面図である。
【符号の説明】
【００２２】
１…外枠、１１，１２…側枠、１３…下枠、２…連結部材、２４…軸支部材、３…連結部材、５…幕板、６…本体枠。
【図１】
0005261781.tif 000002
【図２】
0005261781.tif 000003
【図３】
0005261781.tif 000004
【図４】
0005261781.tif 000005
【図５】
0005261781.tif 000006
【図６】
0005261781.tif 000007
【図７】
0005261781.tif 000008
【図８】
0005261781.tif 000009
【図９】
0005261781.tif 000010
【図１０】
0005261781.tif 000011